(57)【要約】    【課題】  振盪時間を短くして振動や騒音を低減するとともに、機械的負担を軽減させる。    【解決手段】  駆動モータ１５と、駆動モータ１５の回転運動を往復運動に変換するクランク機構１７とを内蔵したケーシング２の側面に備えられて、クランク機構１７に接続された連結杆２７にて上下方向に往復動する振盪板３を案内するガイド部材３１の上部をガイド部材支持板１１に水平方向のピン３２にて軸支してガイド部材３１をケーシング２に対して傾斜可能に設けるとともに、所望の角度に傾斜したガイド部材３１をガイド部材支持板１１に固定する固定手段４０を設けた。【選択図】    図１  
2005177604.tif 000002
【特許請求の範囲】
【請求項１】
ケーシング内に駆動モータ及び該駆動モータの回転運動を往復運動に変換するクランク機構を内蔵し、該ケーシングの側面に備えたガイド部材に振盪板を上下方向に移動可能に設け、該振盪板を前記クランク機構に接続された連結杆を介して上下方向に往復動させる振盪機において、前記ケーシングの側部にガイド部材支持板を設け、該ガイド部材支持板上部の水平方向の支軸に前記ガイド部材の上部を軸支してガイド部材を前記ケーシングに対して傾斜可能に設けるとともに、所望の角度に傾斜した前記ガイド部材を前記ガイド部材支持板に固定する固定手段を設けたことを特徴とする振盪機。
【発明の詳細な説明】
【技術分野】
【０００１】
本発明は、例えば理化学実験等において試料を撹拌混合する振盪機に関する。
【背景技術】
【０００２】
分液漏斗等の振盪容器内に２種以上の相互に溶解しない液体を入れ、振盪容器を振盪することにより液体を混合振盪して目的物質を一方の液体に抽出濃縮する振盪機として、振盪容器を上下方向に振盪するいわゆる縦型振盪機が知られている。この縦型振盪機は、ケーシング内に駆動モータ及び該駆動モータの回転運動を往復運動に変換するクランク機構を内蔵し、該ケーシングの側面に備えたガイド部材に振盪板を上下方向に移動可能に設け、該振盪板を前記クランク機構に接続された連結杆を介して上下方向に往復動させるもので、振盪板に取り付けた振盪容器ホルダーに振盪容器を装着し、前記駆動モータの回転により振盪板をケーシングの側面に沿って垂直方向に往復動させて、振盪容器内の液体を振盪する（例えば、特許文献１参照）。
【特許文献１】実開昭５８−１６１６２９号公報
【発明の開示】
【発明が解決しようとする課題】
【０００３】
ところが、上述の縦型振盪では、振盪容器内の各液体は、振盪板の上昇による上向きの運動エネルギーと、下降するときの重力の影響とを受け、振盪板の速度が一定以上に速くなると、液体の運動と機械的に反転動する振盪容器との間に速度差を生じて、各液体が撹拌状態となるが、各液体の接触面積が狭いことから、撹拌力が小さく、目的物質の抽出に時間を要していた。例えば、本出願人の実験によれば、酢酸水溶液２５０ｍｌと酢酸エチル２５０ｍｌとを浸透容器に入れ、振盪速度１８９ｒｐｍで酢酸を酢酸エチルで抽出させる場合に２６分を要していた。このため、振盪時の振動や騒音が長く続き、機械的負担が大きかった。
【０００４】
そこで本発明は、振盪時間を短くできて振動や騒音を低減するとともに、機械的負担を軽減させた振盪機を提供することを目的としている。
【課題を解決するための手段】
【０００５】
上記した目的を達成するため、本発明は、ケーシング内に駆動モータ及び該駆動モータの回転運動を往復運動に変換するクランク機構を内蔵し、該ケーシングの側面に備えたガイド部材に振盪板を上下方向に移動可能に設け、該振盪板を前記クランク機構に接続された連結杆を介して上下方向に往復動させる振盪機において、前記ケーシングの側部にガイド部材支持板を設け、該ガイド部材支持板上部の水平方向の支軸に前記ガイド部材の上部を軸支してガイド部材を前記ケーシングに対して傾斜可能に設けるとともに、所望の角度に傾斜した前記ガイド部材を前記ガイド部材支持板に固定する固定手段を設けたことを特徴としている。
【発明の効果】
【０００６】
以上説明したように、本発明は、ガイド部材を傾斜させることによって振盪板を傾斜させて振盪ができるから、傾斜した振盪容器内の各液体の接触面積が垂直状態に比べて広くなるとともに、各液体は、重力による垂直方向の力と、振盪板の振幅と傾斜角度の積による水平方向の力との合成運動の力を受け、振盪容器の内壁との摩擦運動で液界面に乱れを生じ、低速段階から各液体が撹拌状態となり、垂直振盪に比べて撹拌力が大きくなり、振盪時間を短くできて振動や騒音を低減するとともに、機械的負担を軽減させることができる。また、振盪速度を従来方式の２／３位まで遅くしても、同程度の振盪効果が得られるので、この場合には格段の静粛運転が可能となり、機械的損耗の軽減と省電力が図れる。
【発明を実施するための最良の形態】
【０００７】
以下、本発明を、図面に示す実施形態例に基づいて、さらに詳細に説明する。振盪機１は、ケーシング２の両側面に振盪板３をそれぞれ備えている。ケーシング２は、該ケーシング２の両側面方向に長い基盤４の中央部分にそれぞれ立設される前板５と後板６及び前板５と後板６の上部に設けられる天板７並びに前板５と後板６の両側面に設けられる側枠８，８とで構成されている。各側枠８は、中央部に縦長方形の開口が形成されており、該側枠８に、振盪板支持部材９がそれぞれ取り付けられている。
【０００８】
該振盪板支持部材９は、中央部に縦長方形の開口を形成して前記側枠８に取り付ける枠体１０と、該枠体１０の両側に設けられて下方へ向かって拡開するガイド部材支持板１１，１１とで構成され、各ガイド部材支持板１１の下端は前記基盤４に固着されている。また、前記前板５には、操作パネル設置用の凹部１２が形成され、前記天板７には、前記前板５と前記後板６寄りに持ち運び用の把手１３がそれぞれ設けられている。
【０００９】
前記ケーシング２内には、前記後板６側に駆動モータ１５が設置され、前記前板５と前記後板６の中間部分に設置された架台１６にクランク機構１７が配設されている。クランク機構１７は、前記駆動モータ１５の回転を往復運動に変換するもので、ケーシング２の両側面方向に亘って配置される２本のシャフト１８，１８を架台１６の軸受１９，１９にて支承し、各シャフト１８の内端側をカップリング２０で連結するとともに、一方のシャフト１８のプーリ２１と前記駆動モータ１５の出力軸のプーリ２２との間にベルト２３を掛け渡し、各シャフト１８の外端側にそれぞれ円盤２４を固設して、各円盤２４にそれぞれ偏心軸２５を設けている。また、各シャフト１８には、偏心軸２５に対向する位置にバランスマス２６が取り付けられ、各円盤２４の回転時の偏心運動により生ずる振動の低減を図っている。
【００１０】
各偏心軸２５には、前記振盪板３を上下方向に往復動させる連結杆２７の下部が球面軸受２８を介して接続されている。該連結杆２７の上部は、前記側枠８及び前記枠体１０の開口部分で球面軸受２９を介して前記振盪板３の背面板３０の上部に接続されている。
【００１１】
前記各ガイド部材支持板１１には、前記振盪板３を上下方向に往復動可能に案内するガイド部材３１がそれぞれ配設されている。このガイド部材３１は、前記ガイド部材支持板１１，１１上部に設けられた水平方向のピン状の支軸３２，３２に上部を軸支されて前記ケーシング２に対して傾斜可能に設けられたガイド枠３３と、該ガイド枠３３の両側枠３３ａにそれぞれ固設される左右一対の断面略コ字状のローラ支持ブラケット３４、３４と、各ローラ支持ブラケット３４に設けられる上下一対のガイドローラ３５，３５とで構成されている。該ガイドローラ３５，３５と前記ガイド枠３３との間には、前記背面板３０が挿入される隙間が形成されている。
【００１２】
前記ガイド枠３３は、中央部に縦長方形の開口を形成し、両側に９０度折り曲げられてさらに内側へ９０度折り曲げられた側片３３ｂ，３３ｂをそれぞれ有し、前記側枠３３ａの前記ローラ支持ブラケット３４の内側に前記背面板３０に設けられたガイドローラ３６が転動する案内板３７を固設している。
【００１３】
前記ガイド部材支持板１１，１１と前記ガイド枠３３の下部との間には、前記支軸３２を中心にして傾斜可能な前記ガイド枠３３を所望の傾斜角度に固定する固定手段４０が設けられている。この固定手段４０は、前記ガイド部材支持板１１に形成された前記ピン３２を中心とする円弧状の長孔４１と、ガイド枠３３に固設されるナット４２と、前記ガイド部材支持板１１側から前記長孔４１に挿通されて前記ナット４２に螺着されるボルトを備えた振盪板所定位置固定摘み４３とで構成されている。前記長孔４１は、本形態例では、前記ガイド枠３３がケーシング２の側面に沿った垂直状態から７０度傾斜するように形成され、該長孔４１の上部に傾斜角度の目盛り４４が記されている。
【００１４】
前記背面板３０は、中央部に縦長方形の開口を形成した枠体で、両側に９０度折り曲げられた側片３０ａ，３０ａと、上下に９０度折り曲げられてさらに内側へ９０度折り曲げられた振盪板取付片３０ｂ，３０ｂとが形成され、各側片３０ａに上下一対のガイドローラ３６，３６を備え、枠体上部３０ｃに前記連結杆２７の球面軸受２９が接続されている。この背面板３０は、前記ガイド枠３３と前記ガイドローラ３５，３５との隙間に挿入されて前記ガイドローラ３５，３５に圧接し、背面板３０のガイドローラ３６，３６は、前記ガイド枠３３の案内板３７に圧接する。
【００１５】
前記振盪板３には、振盪容器ホルダー５０がビス止め等によって取り付けられる。この振盪容器ホルダー５０は、前記振盪板３に着脱可能に取り付けられる上下方向の支柱５１と、該支柱５１の下端に固設されて振盪容器の底部を支持する支持腕５２と、前記支柱５１に上下方向にスライド可能に設けられて振盪容器の上部を保持して支柱５１に固定される保持腕５３とで構成されている。
【００１６】
上述のように構成された振盪機１は、前記振盪板所定位置固定摘み４３を前記長孔４１のケーシング２側にして締め付けて前記ガイド枠３３を垂直にして固定し、駆動モータ１５を運転させれば、駆動モータ１５の回転がクランク機構１７と連結杆２７とで上下方向の往復動に変換されて振盪板が従来の振盪機と同様に垂直振盪する。また、前記振盪板所定位置固定摘み４３を緩めて前記ガイド枠３３を所望の角度に傾斜させて前記振盪板所定位置固定摘み４３を締め付け、駆動モータ１５を運転させれば、振盪板３が傾斜した状態で振盪する。
【００１７】
このように振盪板３を傾斜させた状態で振盪した場合には、振盪容器内の各液体の接触面積が垂直状態に比べて広くなるとともに、各液体は、重力による垂直方向の力と、振盪板３の振幅と傾斜角度の積による水平方向の力との合成運動の力を受ける。これにより、各液体は、振盪容器の内壁との摩擦運動で液界面に乱れを生じ、低速段階から各液体が撹拌状態となり、垂直振盪に比べて撹拌力が大きくなる。例えば、本出願人の実験によれば、酢酸水溶液２５０ｍｌと酢酸エチル２５０ｍｌとを浸透容器に入れ、振盪速度１８９ｒｐｍで酢酸を酢酸エチルで抽出させる場合に、振盪板３を７０度傾斜させた状態で振盪し、酢酸水溶液中の酢酸の減少量を電気伝導計で確認したところ、６分で従来と同様の抽出結果が得られ、振盪時間を大幅に短縮できた。
【００１８】
したがって、振透効率の向上が図れるとともに、前記した構成により振盪時に発生する振動や騒音が低くなり、機械的負担を軽減できる。また、振盪速度を従来方式の２／３位まで遅くしても、同程度の振盪効果が得られるので、この場合には格段の静粛運転が可能となり、機械的損耗の軽減と省電力が図れる。
【００１９】
なお、上記形態例では、ケーシング２の両側面に振盪板３ををそれぞれ備えたもので説明したが、一方の側面に振盪板を備えたものでもよい。また、振盪板３の傾斜角度を垂直状態から７０度の範囲で説明したが、本発明はこれにとらわれるものではなく、振盪板３をより以上に寝かせて傾斜させることも可能である。さらに、ガイド部材もガイドローラ３５，３６にて振盪板３を上下方向に往復動させる構成で説明したが、振盪板３を上下方向に往復動可能なものであればこれに限定されるものではない。
【図面の簡単な説明】
【００２０】
【図１】振盪容器ホルダーを取り付けた振盪板を傾斜させた状態の振盪機の正面図
【図２】振盪板を垂直にした状態の振盪機の正面図
【図３】振盪板を傾斜させた状態の振盪機の正面図
【図４】振盪板を取り外した状態の振盪機の側面図
【図５】振盪機の一部断面平面図
【図６】ガイド部材の概要を示す図２のＢ−Ｂ断面図
【符号の説明】
【００２１】
１…振盪機、２…ケーシング、３…振盪板、４…基盤、１１…ガイド部材支持板、１５…駆動モータ、１７…クランク機構、２４…円盤、２５…偏心軸、２７…連結杆、３１…ガイド部材、４０…固定手段、４１…ガイド部材支持板の長孔、４２…ナット、４３…振盪板所定位置固定摘み
【図１】
2005177604.tif 000003
【図２】
2005177604.tif 000004
【図３】
2005177604.tif 000005
【図４】
2005177604.tif 000006
【図５】
2005177604.tif 000007
【図６】
2005177604.tif 000008